(57)【要約】【課題】  近くを人が横切ったりすることによって周囲の照度が一時的に変化した場合や、表示部の輝度を変化させるしきい値近辺で周囲の照度が頻繁に変化する場合でも、表示部の輝度が頻繁に変化してしまうことを防止することができる電子機器を提供する。【解決手段】  電子回路と、表示部と、照度検出部と、輝度設定部と、時計部と、制御部とを備え、周囲の照度が第１の範囲内の照度に変化したことを検出した場合第１の時間経過後に第２の範囲内の照度である場合表示部の輝度を変化させず、第２の範囲内の照度でない場合表示部の輝度を照度検出部が検出する照度に応じた輝度に設定し、周囲の照度が第１の範囲内の照度でない照度に変化したことを検出した場合第２の時間経過後に第２の範囲内の照度である場合前記表示部の輝度を変化させず、第２の範囲内の照度でない場合表示部の輝度を照度検出部が検出する照度に応じた輝度に設定する。【選択図】      図１
2008070699.tif 000002
【特許請求の範囲】
【請求項１】
電子回路と、
前記電子回路による信号の処理内容を示す情報を表示する表示部と、
周囲の照度を検出する照度検出部と、
前記照度検出部が検出する照度に基づいて前記表示部が表示する情報の輝度を設定する輝度設定部と、
時間情報を出力する時計部と、
前記電子回路及び表示部を制御する制御部とを備え、
前記輝度設定部は、前記照度検出部が検出する照度と前記時計部が出力する時間情報に基づいて周囲の照度が予め定めた第１の範囲内の照度に変化したことを前記照度検出部が検出した場合予め定めた第１の時間経過後に前記照度検出部が検出する周囲の照度が前記照度が変化する以前の照度に対して前記第１の範囲内より狭い範囲内である第２の範囲内の照度である場合前記表示部の輝度を変化させず、周囲の照度が前記第１の範囲内の照度に変化したことを前記照度検出部が検出した場合前記第１の時間経過後に前記照度検出部が検出する周囲の照度が前記照度が変化する以前の照度に対して前記第２の範囲内の照度でない場合前記表示部の輝度を前記照度検出部が検出する照度に応じた輝度に設定し、
周囲の照度が前記第１の範囲内の照度でない照度に変化したことを前記照度検出部が検出した場合前記第１の時間より短い時間である第２の時間経過後に前記照度検出部が検出する周囲の照度が前記照度が変化する以前の照度に対して前記第２の範囲内の照度である場合前記表示部の輝度を変化させず、周囲の照度が前記第１の範囲内の照度でない照度に変化したことを前記照度検出部が検出した場合前記第２の時間経過後に前記照度検出部が検出する周囲の照度が前記照度が変化する以前の照度に対して前記第２の範囲内の照度でない場合前記表示部の輝度を前記照度検出部が検出する照度に応じた輝度に設定することを特徴とする電子機器。
【請求項２】
請求項１記載の電子機器において、前記第１の範囲は、略５０ルクスの範囲であり、
前記第２の範囲は、略±５ルクスの範囲であることを特徴とする電子機器。
【発明の詳細な説明】
【技術分野】
【０００１】
本発明は、電子回路による信号の処理内容を示す情報を表示する表示部を備える電子機器に関する。
【背景技術】
【０００２】
従来の電子機器として、光ディスク再生装置を例に挙げ説明する。
従来の光ディスク再生装置として、光ディスクに記録されているオーディオデータのトラック番号や光ディスクから再生しているオーディオデータのトラック番号及び再生経過時間等を表示する表示部を備えるものがある。これらの表示部には、表示部が自ら発光する蛍光表示管やＬＥＤ（Light-Emitting Diode）等が用いられている。
【０００３】
しかし、これらの蛍光表示管やＬＥＤによって表示部を発光させた場合、周囲の明るささが変化することによって、表示部の表示内容が視認し難くなることがある。例えば、発光させる表示部の輝度を予め定めた一定の輝度にした場合、昼間時のような周囲が明るいときには、周囲の明るさに対する表示部の輝度が不足し、表示部の表示内容が視認し難くなる。また、夜間時のような周囲が暗いときには、周囲の明るさに対して表示部が眩しすぎるために表示部の表示内容が視認し難くなることがある。
【０００４】
このような、周囲の明るさが変化することにより表示部の表示内容が視認し難くなることを防止するために、周囲の明るさに応じて表示部の輝度を変化させるものがある（例えば、特許文献１参照。）。
【０００５】
特許文献１に開示されているような周囲の明るさに応じて表示部の輝度を変化させる構成を光ディスク再生装置に用いることにより、周囲が明るいときには、周囲が暗いときより高い輝度で表示部を発光し、また、周囲が暗いときには、周囲が明るいときより低い輝度で表示部を発光するので、周囲の明るさが変化することによって表示部の表示内容が視認し難くなってしまうのを防止することができる。
【０００６】
【特許文献１】特開平７−２８１６２９公報
【発明の開示】
【発明が解決しようとする課題】
【０００７】
図７は、従来の光ディスク再生装置による表示部の輝度の変化の過程を示す図で、従来の光ディスク再生装置の近くを人が横切った場合に照度センサーが検出する周囲の照度の変化の過程と、そのときの表示部の発光輝度の変化の過程を示す図である。
【０００８】
従来の光ディスク再生装置は、例えば、表示部、照度センサー及び制御部を備え、制御部は、照度センサーが検出した周囲の照度に応じて表示部の発光輝度を予め定めた輝度に変化させて発光するよう制御する。例えば、制御部は、照度センサーが検出した周囲の照度が２５ルクス未満である場合、表示部を予め定めた第１の輝度で発光するよう制御する。また、制御部は、照度センサーが検出する周囲の照度が２５ルクス以上５０ルクス未満である場合、表示部を第１の輝度よりも高い輝度である第２の輝度で発光するよう制御する。また、制御部は、照度センサーが検出する周囲の照度が５０ルクス以上７５ルクス未満である場合、表示部を第２の輝度よりも高い輝度である第３の輝度で発光するよう制御する。また、制御部は、照度センサーが検出する周囲の照度が７５ルクス以上１００ルクス未満である場合、表示部を第３の輝度よりも高い輝度である第４の輝度で発光するよう制御する。また、制御部は、照度センサーが検出する周囲の照度が１００ルクス以上である場合、表示部を第４の輝度よりも高い輝度である第５の輝度で発光するよう制御する。
【０００９】
例えば、従来の光ディスク再生装置の近くを人が横切った場合、照度センサーの光センサーに入力する周囲の光が横切った人によって一時的に遮断される。このため、例えば、図７に示すように、照度センサーが検出する周囲の照度がそれまで５０ルクスであり、また、このときの表示部の輝度が第３の輝度である場合、光ディスク再生装置の近くを人が横切ったために、その間一時的に照度センサーが検出する周囲の照度が２５ルクス以下に低下すると、表示部の輝度は、図７に示すように、一時的に第１の輝度に低下した後、すぐに第３の輝度に戻ることになる。
【００１０】
また、例えば、従来の光ディスク再生装置の周囲の照度が表示部の輝度が変化するしきい値近辺の照度であって、周囲の天候が頻繁に変化し、この天候の変化によって光ディスク再生装置の周囲の照度が上昇及び低下を頻繁に繰り返している場合、例えば、周囲の照度が天候の変化によって４９ルクスから５１ルクスまでの間を頻繁に上下している場合、表示部の輝度は第１の輝度から第２の輝度への変化及び第２の輝度から第１の輝度への変化を頻繁に繰り返すこととなる。
【００１１】
このように、従来の光ディスク再生装置の近くを人が横切ることにより、照度センサーが検出する周囲の照度が一時的に低下したり、また、表示部の輝度が変化するしきい値近辺で周囲の照度が頻繁に変化することによって、表示部の発光輝度が頻繁に変化してしまうと、表示部の表示がちらついてしまい、表示部の表示内容を視認することが困難となる。また、表示部の輝度が短時間の間に頻繁に変化すると、光ディスク再生装置の高級感や質感が損なわれてしまう。
【００１２】
本発明は、電子回路による信号の処理内容を示す情報を表示する表示部を備える電子機器において、近くを人が横切ったりすることによって周囲の照度が一時的に変化した場合や、表示部の輝度を変化させるしきい値近辺で周囲の照度が頻繁に変化する場合でも、表示部の輝度が頻繁に変化してしまうことを防止することができる電子機器を提供することを目的とする。
【課題を解決するための手段】
【００１３】
本願の請求項１記載の発明は、電子機器において、電子回路と、前記電子回路による信号の処理内容を示す情報を表示する表示部と、周囲の照度を検出する照度検出部と、前記照度検出部が検出する照度に基づいて前記表示部が表示する情報の輝度を設定する輝度設定部と、時間情報を出力する時計部と、前記電子回路及び表示部を制御する制御部とを備え、前記輝度設定部は、前記照度検出部が検出する照度と前記時計部が出力する時間情報に基づいて周囲の照度が予め定めた第１の範囲内の照度に変化したことを前記照度検出部が検出した場合予め定めた第１の時間経過後に前記照度検出部が検出する周囲の照度が前記照度が変化する以前の照度に対して前記第１の範囲内より狭い範囲内である第２の範囲内の照度である場合前記表示部の輝度を変化させず、周囲の照度が前記第１の範囲内の照度に変化したことを前記照度検出部が検出した場合前記第１の時間経過後に前記照度検出部が検出する周囲の照度が前記照度が変化する以前の照度に対して前記第２の範囲内の照度でない場合前記表示部の輝度を前記照度検出部が検出する照度に応じた輝度に設定し、周囲の照度が前記第１の範囲内の照度でない照度に変化したことを前記照度検出部が検出した場合前記第１の時間より短い時間である第２の時間経過後に前記照度検出部が検出する周囲の照度が前記照度が変化する以前の照度に対して前記第２の範囲内の照度である場合前記表示部の輝度を変化させず、周囲の照度が前記第１の範囲内の照度でない照度に変化したことを前記照度検出部が検出した場合前記第２の時間経過後に前記照度検出部が検出する周囲の照度が前記照度が変化する以前の照度に対して前記第２の範囲内の照度でない場合前記表示部の輝度を前記照度検出部が検出する照度に応じた輝度に設定することを特徴とする。
【００１４】
本願の請求項２記載の発明は、請求項１記載の電子機器において、前記第１の範囲は、略５０ルクスの範囲であり、前記第２の範囲は、略±５ルクスの範囲であることを特徴とする。
【発明の効果】
【００１５】
本発明の電子機器によれば、電子回路による信号の処理内容を示す情報を表示する表示部を備える電子機器において、近くを人が横切ったりすることによって周囲の照度が一時的に変化した場合や、表示部の輝度を変化させるしきい値近辺で周囲の照度が頻繁に変化する場合でも、表示部の輝度が頻繁に変化してしまうことを防止することができる電子機器を提供することができる。
【発明を実施するための最良の形態】
【００１６】
本発明の実施の形態を図面を参照して説明する。なお、従来技術で示した構成要素と同一の部分については同符号を用いる。
【００１７】
本実施例においては、電子機器として光ディスク再生装置を例に挙げ説明する。
図１は、本実施例の光ディスク再生装置の構成を示すブロック図である。
【００１８】
光ディスク再生装置１は、再生部２、出力部３、制御部４、表示部５、照度センサー６、輝度設定部７及び時計部８を備える。
【００１９】
再生部２は、図示しないターンテーブル、スピンドルモータ、光ピックアップ及びＤＡＣ（Ｄｉｇｉｔａ１  Ａｎａ１ｏｇ  Ｃｏｎｖｅｒｔｅｒ）を備える。ターンテーブルは、光ディスク１０を固定する。光ピックアップは、光ディスク１０に記録されたオーディオデータを読み取る。ＤＡＣは、光ピックアップが読み取ったオーディオデータ（デジタルデータ）をアナログのオーディオ信号に変換し、出力部３に出力する。
【００２０】
出力部３は、再生部２から出力されたオーディオ信号を出力する。表示部５は、蛍光表示管であり、光ディスク１０に記録されているオーディオデータのトラック番号や再生しているオーディオ信号のトラック番号及び再生経過時間等の情報を発光して表示する。照度センサー６は、光センサーを備え、当該光センサーによって周囲の明るさ（照度）を検出する。時計部８は、時間情報を出力する。輝度設定部７は、照度センサー６が検出する周囲の照度と時計部８が出力する時間情報に基づいて表示部５の発光輝度を設定する。制御部４は、再生部２、表示部５及び輝度設定部７を制御する。
【００２１】
図２は、輝度設定部７による表示部５の輝度の制御を示すフローチャート図である。
図２に示す開始時点において、輝度設定部７は、照度センサー６が検出する周囲の照度が２５ルクス未満である場合、表示部５を予め定めた第１の輝度で発光するよう設定する。また、輝度設定部７は、照度センサー６が検出する周囲の照度が２５ルクス以上５０ルクス未満である場合、表示部５を第１の輝度よりも高い輝度である第２の輝度で発光するよう設定する。また、輝度設定部７は、照度センサー６が検出する周囲の照度が５０ルクス以上７５ルクス未満である場合、表示部５を第２の輝度よりも高い輝度である第３の輝度で発光するよう設定する。また、輝度設定部７は、照度センサー６が検出する周囲の照度が７５ルクス以上１００ルクス未満である場合、表示部５を第３の輝度よりも高い輝度である第４の輝度で発光するよう制御する。また、輝度設定部７は、照度センサー６が検出する周囲の照度が１００ルクス以上である場合、表示部５を第４の輝度よりも高い輝度である第５の輝度で発光するよう設定する。
【００２２】
ステップＳ１において、輝度設定部７は、照度センサー６が検出する周囲の照度が変化したか否かを判別する。ステップＳ１において、照度センサー６が検出する周囲の照度が変化した場合、輝度設定部７は、照度センサー６が検出する周囲の照度が予め定めた第１の照度（例えば、５０ルクス）以上変化したか否かを判別し（ステップＳ２）、周囲の照度の変化が５０ルクス未満である場合はステップＳ３に移行し、周囲の照度の変化が５０ルクス以上である場合はステップＳ４に移行する。
【００２３】
ステップＳ３において、輝度設定部７は、時計部８が出力する時間情報と照度センサー６が検出する周囲の照度に基づいて、照度センサー６が周囲の照度が低下したことを検出してから予め定めた第１の時間（例えば、１０秒）が経過したか否かを判別する。
【００２４】
また、ステップＳ４において、輝度設定部７は、時計部８が出力する時間情報と照度センサー６が検出する周囲の照度に基づいて、照度センサー６が周囲の照度が低下したことを検出してから予め定めた第２の時間（例えば、３秒）が経過したか否かを判別する。
【００２５】
ステップＳ３において、照度センサー６が周囲の照度が低下したことを検出してから１０秒が経過した場合、または、ステップＳ４において、照度センサー６が周囲の照度が低下したことを検出してから３秒が経過した場合、輝度設定部７は、その時点での照度センサー６が検出した周囲の照度がステップＳ１における周囲の照度が変化する以前の照度に対して予め定めた第２の照度の範囲内（例えば、±５ルクスの照度の範囲内）であるか否かを判別する（ステップＳ５）。ステップＳ５において、ステップＳ１における周囲の照度が変化する以前の照度に対して±５ルクスの照度の範囲内でない場合はステップＳ７に移行し、ステップＳ１における周囲の照度が変化する以前の照度に対して±５ルクスの照度の範囲内である場合はステップＳ６に移行する。
【００２６】
ステップＳ５において、周囲の照度がステップＳ１における周囲の照度が変化する以前の照度に対して±５ルクスの照度の範囲内である場合、輝度設定部７は、表示部５の輝度を変化させることなく、ステップＳ１に戻る（ステップＳ６）。ステップＳ５において、周囲の照度がステップＳ１における周囲の照度が変化する以前の照度に対して±５ルクスの照度の範囲内でない場合、輝度設定部７は、照度センサー６が検出した照度に応じて表示部５の輝度を変化させる（ステップＳ７）。
【００２７】
図３は、光ディスク再生装置１の周囲の照度が変化した場合に照度センサーが検出する周囲の照度の変化の過程と、そのときの表示部の輝度の変化の過程を示す図である。
光ディスク再生装置１の周囲の照度が５０ルクスから２５ルクスに低下した場合、図２のステップＳ２に示すように、輝度設定部７は、先ず、周囲の照度が変化したことを判別すると共に、周囲の照度の変化が５０ルクス未満であると判別する。そして、図２のステップＳ３及びステップＳ５に示すように、輝度設定部７は、時計部８が出力する時間情報と照度センサー６が検出する周囲の照度に基づいて、照度センサー６が周囲の照度が低下したことを検出してから１０秒が経過した後、その時点での照度センサー６が検出する周囲の照度がステップＳ１における周囲の照度が変化する以前の照度に対して±５ルクスの範囲内でないと判別する。次に、輝度設定部７は、図２のステップＳ７に示すように、表示部５の輝度を照度センサー６が検出した照度に応じた輝度に変化させ、図３に示すように、表示部５の輝度を第３の輝度から第２の輝度に低下させる。
【００２８】
図４は、光ディスク再生装置１の周囲の照度が一時的に低下した後、１０秒以内に元の照度に戻った場合における照度センサーが検出する周囲の照度の変化の過程と、そのときの表示部の輝度の過程を示す図である。
光ディスク再生装置１の周囲の照度が５０ルクスから一時的に２５ルクス以下に低下した場合、図２のステップＳ２に示すように、輝度設定部７は、先ず、周囲の照度が変化したことを判別すると共に、周囲の照度の変化が５０ルクス未満であると判別する。そして、図２のステップＳ３及びステップＳ５に示すように、輝度設定部７は、時計部８が出力する時間情報と照度センサー６が検出する周囲の照度に基づいて、照度センサー６が周囲の照度が低下したことを検出してから１０秒が経過した後、その時点での照度センサー６が検出する周囲の照度がステップＳ１における周囲の照度が変化する以前の照度に対して±５ルクスの範囲内であるか否かを判別する。輝度設定部７は、図２のステップＳ５及びステップＳ６に示すように、ステップＳ１における周囲の照度が変化する以前の照度に対して±５ルクスの範囲内である場合、表示部５の輝度を変化させず、図４に示すように、表示部５の輝度を変化させずに第３の輝度のままとする。
【００２９】
図５は、光ディスク再生装置１の周囲の照度が表示部５の輝度が変化するしきい値である５０ルクス近辺の照度であって、天候の変化によって４９ルクスから５１ルクスまでの間を頻繁に上下している場合における照度センサーが検出する周囲の照度の変化の過程と、そのときの表示部の輝度の過程を示す図である。
光ディスク再生装置１の周囲の照度が５０ルクスから４９ルクスに低下した後、４９ルクスから５１ルクスまでの間を頻繁に上下している場合、図２のステップＳ２に示すように、輝度設定部７は、先ず、周囲の照度が変化したことを判別すると共に、周囲の照度の変化が５０ルクス未満であると判別する。そして、図２のステップＳ３及びステップＳ５に示すように、輝度設定部７は、時計部８が出力する時間情報と照度センサー６が検出する周囲の照度に基づいて、照度センサー６が周囲の照度が低下したことを検出してから１０秒が経過した後、その時点での照度センサー６が検出する周囲の照度がステップＳ１における周囲の照度が変化する以前の照度に対して±５ルクスの範囲内であるか否かを判別する。輝度設定部７は、図２のステップＳ５及びステップＳ６に示すように、ステップＳ１における周囲の照度が変化する以前の照度に対して±５ルクスの範囲内であることから、表示部５の輝度を変化させず、図６に示すように、表示部５の輝度を変化させずに第３の輝度のままとする。
【００３０】
図６は、光ディスク再生装置１の周囲の照度が５０ルクス以上増加した場合に照度センサーが検出する周囲の照度の変化の過程と、そのときの表示部の輝度の変化の過程を示す図である。
光ディスク再生装置１の周囲の照度が２５ルクスから１００ルクスに上昇した場合、図２のステップＳ２に示すように、輝度設定部７は、先ず、周囲の照度が変化したことを判別すると共に、周囲の照度の変化が５０ルクス以上であると判別する。そして、図２のステップＳ４及びステップＳ５に示すように、輝度設定部７は、時計部８が出力する時間情報と照度センサー６が検出する周囲の照度に基づいて、照度センサー６が周囲の照度が低下したことを検出してから３秒が経過した後、その時点での照度センサー６が検出する周囲の照度がステップＳ１における周囲の照度が変化する以前の照度に対して±５ルクスの範囲内であるか否かを判別する。輝度設定部７は、図２のステップＳ５及びステップＳ７に示すように、ステップＳ１における周囲の照度が変化する以前の照度に対して±５ルクスの範囲内でないと判別する。次に、輝度設定部７は、図２のステップＳ７に示すように、表示部５の輝度を照度センサー６が検出した照度に応じた輝度に変化させ、図６に示すように、表示部５の輝度を第２の輝度から第５の輝度に上昇させる。
【００３１】
以上のように、本実施例の光ディスク再生装置１は、周囲の照度が変化したことを照度センサー６が検出した場合、輝度設定部７は、照度センサー６が検出する周囲の照度が５０ルクス以上変化したか否かを判別し、周囲の照度の変化が５０ルクス未満である場合、照度センサー６が周囲の照度が変化したことを検出してから１０秒が経過した後、照度センサー６が周囲の照度の変化を検出する以前の周囲の照度に対して±５ルクスの範囲内でないことを検出した場合は表示部５の輝度を変化させるが、照度センサー６が周囲の照度の変化を検出する以前の周囲の照度に対して±５ルクスの範囲内であることを検出した場合、輝度設定部７は、表示部５の輝度を変化させない。
【００３２】
光ディスク再生装置１の近くを人が横切った場合は、当該人によって照度センサー６の光センサーに入力する周囲の光が一時的に遮断されるが、その後、人が光ディスク再生装置１から離れると、光ディスク再生装置１の周囲の照度は当該人が近寄る前の元の照度に戻る。このとき、人が光ディスク再生装置１の近くを横切ることによって照度センサー６が検出する周囲の照度の低下量は、殆んどの場合、５０ルクス未満である。また、人が光ディスク再生装置１の近くを横切る場合、照度センサー６が入力する周囲の光を人が遮断する時間は、長くても１０秒以内である。本実施例の光ディスク再生装置１は、近くを人が一時的に横切ったことにより、周囲の照度が低下しても、その後、光ディスク再生装置１から当該人が離れるまでの間に周囲の照度が元の照度に戻った場合、つまり、周囲の照度の低下量が５０ルクス未満であって、１０秒以内に周囲の照度が元の照度に戻った場合は、表示部５の輝度を変化させないので、人が光ディスク再生装置１の近くを横切る度に表示部５の発光輝度が頻繁に変化してしまい、表示部５の表示内容を視認することが困難となることを防止することができる。
【００３３】
また、本実施例の光ディスク再生装置１は、照度センサー６が検出する周囲の照度が５０ルクス以上変化したか否かを判別し、周囲の照度の変化が５０ルクス未満である場合、照度センサー６が周囲の照度が変化したことを検出してから１０秒が経過した後、照度センサー６が周囲の照度の変化を検出する以前の周囲の照度に対して±５ルクスの範囲内であることを検出した場合、表示部５の輝度を変化させないことにより、例えば、周囲の照度が表示部５の輝度が変化するしきい値近辺の照度であって、天候の変化により周囲の照度が上昇及び低下を頻繁に繰り返している場合であっても、表示部５の発光輝度が頻繁に変化してしまい、表示部５の表示内容を視認することが困難となることを防止することができる。
【００３４】
光ディスク再生装置１の近くを人が横切った場合や天候の変化により周囲の照度が上昇及び低下を頻繁に繰り返している場合に照度センサー６が検出する照度の変化量は、殆んどの場合は５０ルクス未満であり、照度センサー６が検出する周囲の照度の変化量が５０ルクス以上である場合は、光ディスク再生装置１の近くを人が横切ったり、天候の変化により周囲の照度が上昇及び低下を頻繁に繰り返している場合ではなく、使用者等が故意に周囲の照度を変化させた場合、例えば、昼間に屋外の太陽光を遮るためにカーテンを閉めて屋内の照度を低下させた場合や、夜間に屋内の照明を点灯させて照度を上昇させた場合である。このように、故意にカーテンを閉めたり、また、屋内の照明を点灯させた後に使用者が光ディスク再生装置１を使用しようとする場合は、できるだけ迅速に表示部５の輝度が周囲の変化した照度に応じた輝度に変化することが求められる。
【００３５】
本実施例の光ディスク再生装置１は、周囲の照度が５０ルクス以上変化した場合、周囲の照度が変化してから３秒が経過した後の周囲の照度が照度の変化を検出する以前の周囲の照度に対して±５ルクスの範囲内でない場合、表示部５の輝度を照度センサー６が検出した照度に応じた輝度に変化させることにより、使用者が故意にカーテンを閉めたり、屋内の照明を点灯させてから１０秒が経過した後でなく、３秒が経過した後に表示部５の輝度を周囲の輝度に応じた輝度に変化させることができるので、表示部５の輝度を周囲の照度に応じた輝度に迅速に変化させることができる。
【００３６】
本実施例の光ディスク再生装置１は、照度センサー６が周囲の照度が低下したことを検出してから１０秒が経過した後に、照度センサー６が周囲の照度の変化を検出する以前の周囲の照度に対して±５ルクスの範囲内であるか否かを判断する構成としたが、照度センサー６が周囲の照度が低下したことを検出した後に、照度センサー６が周囲の照度の変化を検出する以前の周囲の照度に対して予め定めた値の範囲内であるか否かを判断するための値をユーザが±１０ルクス、±１５ルクスまたは±２０ルクス等の任意の照度範囲に設定することができる構成としても良い。これにより、天候の変化による周囲の照度の変化の度合いに応じて、照度センサー６が周囲の照度の変化を検出する以前の周囲の照度に対して予め定めた値の範囲内であるか否かを判断するための値を任意に変更させることができる。
【図面の簡単な説明】
【００３７】
【図１】本実施例の光ディスク再生装置の構成を示すブロック図。
【図２】輝度設定部７による表示部５の輝度の制御を示すフローチャート図。
【図３】光ディスク再生装置１の周囲の照度が変化した場合に照度センサーが検出する周囲の照度の変化の過程と、そのときの表示部の輝度の変化の過程を示す図。
【図４】光ディスク再生装置１の周囲の照度が一時的に低下した後、１０秒以内に元の照度に戻った場合における照度センサーが検出する周囲の照度の変化の過程と、そのときの表示部の輝度の過程を示す図。
【図５】光ディスク再生装置１の周囲の照度が表示部５の輝度が変化するしきい値である５０ルクス近辺の照度であって、天候の変化によって４９ルクスから５１ルクスまでの間を頻繁に上下している場合における照度センサーが検出する周囲の照度の変化の過程と、そのときの表示部の輝度の過程を示す図。
【図６】光ディスク再生装置１の周囲の照度が５０ルクス以上増加した場合に照度センサーが検出する周囲の照度の変化の過程と、そのときの表示部の輝度の変化の過程を示す図。
【図７】従来の光ディスク再生装置による表示部の輝度の変化の過程を示す図で、従来の光ディスク再生装置の近くを人が横切った場合に照度センサーが検出する周囲の照度の変化の過程と、そのときの表示部の輝度の変化の過程を示す図。
【符号の説明】
【００３８】
１  光ディスク再生装置、２  再生部、３  出力部、４  制御部、５  表示部、
６  照度センサー、７  輝度設定部、８  時計部、１０  光ディスク
【図１】
2008070699.tif 000003
【図２】
2008070699.tif 000004
【図３】
2008070699.tif 000005
【図４】
2008070699.tif 000006
【図５】
2008070699.tif 000007
【図６】
2008070699.tif 000008
【図７】
2008070699.tif 000009